【手続補正書】
【提出日】平成16年2月12日(2004.2.12)
【手続補正１】
【補正対象書類名】明細書
【補正対象項目名】請求項１
【補正方法】変更
【補正の内容】
【請求項１】
給紙手段から給紙された用紙を、前記給紙手段と記録手段の間における用紙通路で検出する可動式の用紙検出手段と、
紙送り速度を検出する紙送り速度検出手段と、
複数の紙送り速度に応じた補正値データが記憶された記憶手段と、
前記紙送り速度を基に前記記憶手段から補正値データを取り込む取込手段と、
前記用紙検出手段によって用紙の有無が検出されたときに、所定位置から前記用紙の先端又は後端までの距離を前記補正値データにより補正する補正手段と
を備えたことを特徴とする記録装置における用紙位置検出装置。
【手続補正２】
【補正対象書類名】明細書
【補正対象項目名】請求項２
【補正方法】変更
【補正の内容】
【請求項２】
前記用紙を紙送りするための駆動手段と、記録モードに応じた紙送り速度となるように前記駆動手段を駆動制御する制御手段とを備え、
前記補正手段は、所定位置から用紙の先端又は後端までの距離を補正するために前記駆動手段の出力を補正することを特徴とする請求項１に記載の記録装置における用紙位置検出装置。
【手続補正３】
【補正対象書類名】明細書
【補正対象項目名】請求項５
【補正方法】変更
【補正の内容】
【請求項５】
前記補正手段は、前記補正後の所定位置から前記用紙の先端又は後端までの距離から紙送り量を算出し、その紙送り量を基に用紙の位置及びサイズのうち少なくとも一方を求めることを特徴とする請求項１〜４のうちいずれか一項に記載の記録装置における用紙位置検出装置。
【手続補正４】
【補正対象書類名】明細書
【補正対象項目名】請求項６
【補正方法】変更
【補正の内容】
【請求項６】
前記補正手段は、前記用紙検出手段が状態変動してから前記用紙を検出するまでの間に生じるタイムラグを解消するように所定位置から前記用紙の先端又は後端までの距離を補正することを特徴とする請求項１〜５のうちいずれか一項に記載の記録装置における用紙位置検出装置。
【手続補正５】
【補正対象書類名】明細書
【補正対象項目名】請求項８
【補正方法】変更
【補正の内容】
【請求項８】
前記レバー式センサは検知部と該検知部に対して可動するレバーとを備え、前記検知部は前記記録装置に搭載された基板に設けられ、前記レバーは記録装置の筐体側に設けられていることを特徴とする請求項７に記載の記録装置における用紙位置検出装置。
【手続補正６】
【補正対象書類名】明細書
【補正対象項目名】請求項１０
【補正方法】変更
【補正の内容】
【請求項１０】
給紙手段から給紙された用紙を記録手段に至る手前で検出する可動式の用紙検出手段を備えた記録装置における用紙位置検出方法であって、
紙送り速度検出手段によって検出された給紙時の紙送り速度により複数の紙送り速度に応じた補正値データが記憶された記憶手段から取込手段がその紙送り速度に応じた補正値データを取り込む手順と、
補正手段が前記補正値データを用いて所定位置から前記用紙の先端又は後端までの距離を補正する手順と
を備えたことを特徴とする記録装置における用紙位置検出方法。
【手続補正７】
【補正対象書類名】明細書
【補正対象項目名】請求項１１
【補正方法】変更
【補正の内容】
【請求項１１】
給紙手段から給紙された用紙を記録手段に至る手前で検出する可動式の用紙検出手段を備えた記録装置における用紙位置検出方法であって、
紙送り速度検出手段によって検出された給紙時の紙送り速度により複数の紙送り速度に応じた補正値データが記憶された記憶手段から取込手段がその紙送り速度に応じた補正値データを取り込む手順と、
補正手段が前記補正値データを用いて所定位置から前記用紙の先端又は後端までの距離を補正する手順と
前記補正手段が前記補正後の距離から紙送り量を算出し、その紙送り量を基に用紙の位置及びサイズのうち少なくとも一方を求める手順と
を備えたことを特徴とする記録装置における用紙位置検出方法。
【手続補正８】
【補正対象書類名】明細書
【補正対象項目名】０００８
【補正方法】変更
【補正の内容】
【０００８】
【課題を解決するための手段】
上記問題点を解決するために、請求項１に記載の発明では、給紙手段から給紙された用紙を、前記給紙手段と記録手段の間における用紙通路で検出する可動式の用紙検出手段と、紙送り速度を検出する紙送り速度検出手段と、複数の紙送り速度に応じた補正値データが記憶された記憶手段と、前記紙送り速度を基に前記記憶手段から補正値データを取り込む取込手段と、前記用紙検出手段によって用紙の有無が検出されたときに、所定位置から前記用紙の先端又は後端までの距離を前記補正値データにより補正する補正手段とを備えたことを要旨とする。


【手続補正９】
【補正対象書類名】明細書
【補正対象項目名】０００９
【補正方法】変更
【補正の内容】
【０００９】
この発明によれば、用紙検出手段は用紙を検知して状態変動しても、その検出信号を出力するまでに所定のタイムラグが生じる場合がある。しかし、用紙検出手段により用紙が検出されたとき、取込手段は紙送り速度検出手段により求まる紙送り速度からその紙送り速度に応じた補正値データを記憶手段から取り込み、その補正値データを基に補正手段が所定位置から用紙の先端又は後端までの距離を補正する。従って、同一機種で紙送り速度が変化する場合でも、用紙の位置検出精度がよくなる。


【手続補正１０】
【補正対象書類名】明細書
【補正対象項目名】００１０
【補正方法】変更
【補正の内容】
【００１０】
請求項２に記載の発明では、請求項１に記載の発明において、前記用紙を紙送りするための駆動手段と、記録モードに応じた紙送り速度となるように前記駆動手段を駆動制御する制御手段とを備え、前記補正手段は、所定位置から用紙の先端又は後端までの距離を補正するために前記駆動手段の出力を補正することを要旨とする。


【手続補正１１】
【補正対象書類名】明細書
【補正対象項目名】００１１
【補正方法】変更
【補正の内容】
【００１１】
この発明によれば、請求項１に記載の発明の作用に加え、用紙を紙送りするための駆動手段を備え、その駆動手段が制御手段により駆動制御される。そして、補正手段により所定位置から用紙の先端又は後端までの距離を補正するために駆動手段の出力が補正される。


【手続補正１２】
【補正対象書類名】明細書
【補正対象項目名】００１５
【補正方法】変更
【補正の内容】
【００１５】
この発明によれば、請求項１又は２に記載の発明の作用に加え、エンコーダによって紙送り速度が検出され。この構成を用いても紙送り速度の検出が行える。
請求項５に記載の発明では、請求項１〜４のうちいずれか一項に記載の発明において、前記補正手段は、前記補正後の所定位置から用紙の先端又は後端までの距離から紙送り量を算出し、その紙送り量を基に用紙の位置及びサイズのうち少なくとも一方を求めることを要旨とする。


【手続補正１３】
【補正対象書類名】明細書
【補正対象項目名】００１６
【補正方法】変更
【補正の内容】
【００１６】
この発明によれば、請求項１〜４のうちいずれか一項に記載の発明の作用に加え、補正後の所定位置から用紙の先端又は後端までの距離から求まる紙送り量を基にして、補正手段により用紙の位置及びサイズのうち少なくとも一方が求まるので、用紙の頭出し精度、後端位置、サイズ検出などの検出精度がよくなる。


【手続補正１４】
【補正対象書類名】明細書
【補正対象項目名】００１７
【補正方法】変更
【補正の内容】
【００１７】
請求項６に記載の発明では、請求項１〜５のうちいずれか一項に記載の発明において、前記補正手段は、前記用紙検出手段が状態変動してから前記用紙を検出するまでの間に生じるタイムラグを解消するように所定位置から用紙の先端又は後端までの距離を補正することを要旨とする。


【手続補正１５】
【補正対象書類名】明細書
【補正対象項目名】００１８
【補正方法】変更
【補正の内容】
【００１８】
この発明によれば、請求項１〜５のうちいずれか一項に記載の発明の作用に加え、用紙検出手段が状態変動してから用紙を検出するまでの間に生じるタイムラグを解消するように、補正手段によって所定位置から用紙の先端又は後端までの距離が補正される。


【手続補正１６】
【補正対象書類名】明細書
【補正対象項目名】００１９
【補正方法】変更
【補正の内容】
【００１９】
請求項７に記載の発明では、請求項１〜６のうちいずれか一項に記載の発明において、前記用紙検出手段は、レバー式センサであることを要旨とする。
この発明によれば、請求項１〜６のうちいずれか一項に記載の発明の作用に加え、用紙検出手段がレバー式のセンサであると、レバーのストロークの関係上、用紙を検知してレバーが動き始めたときから検出信号を出力するまでにタイムラグが生じる。しかし、所定位置から用紙の先端又は後端までの距離を補正するので、レバー式のセンサを用いた記録装置において用紙の位置検出精度がよくなる。


【手続補正１７】
【補正対象書類名】明細書
【補正対象項目名】００２３
【補正方法】変更
【補正の内容】
【００２３】
この発明によれば、請求項１〜８のうちいずれか一項に記載の発明の作用に加え、補正値データを基にステッピングモータのステップ数を補正することで所定位置から用紙の先端又は後端までの距離が補正される。


【手続補正１８】
【補正対象書類名】明細書
【補正対象項目名】００２４
【補正方法】変更
【補正の内容】
【００２４】
請求項１０に記載の発明では、給紙手段から給紙された用紙を記録手段に至る手前で検出する可動式の用紙検出手段を備えた記録装置における用紙位置検出方法であって、紙送り速度検出手段によって検出された給紙時の紙送り速度により複数の紙送り速度に応じた補正値データが記憶された記憶手段から取込手段がその紙送り速度に応じた補正値データを取り込む手順と、補正手段がそのときの紙送り速度に応じた補正値データを用いて所定位置から用紙の先端又は後端までの距離を補正する手順とを備えたこと要旨とする。


【手続補正１９】
【補正対象書類名】明細書
【補正対象項目名】００２５
【補正方法】変更
【補正の内容】
【００２５】
この発明によれば、用紙検出手段は用紙を検知して状態変動しても、その検出信号を出力するまでに所定のタイムラグが生じる場合がある。しかし、用紙検出手段により用紙が検出されたとき、取込手段は紙送り速度検出手段により求まる紙送り速度からその紙送り速度に応じた補正値データを記憶手段から取り込み、その補正値データを基に補正手段が所定位置から用紙の先端又は後端までの距離を補正する。従って、同一機種で紙送り速度が変化する場合でも、用紙の位置検出精度がよくなる。


【手続補正２０】
【補正対象書類名】明細書
【補正対象項目名】００２６
【補正方法】変更
【補正の内容】
【００２６】
請求項１１に記載の発明では、給紙手段から給紙された用紙を記録手段に至る手前で検出する可動式の用紙検出手段を備えた記録装置における用紙位置検出方法であって、紙送り速度検出手段によって検出された給紙時の紙送り速度により複数の紙送り速度に応じた補正値データが記憶された記憶手段から取込手段がその紙送り速度に応じた補正値データを取り込む手順と、補正手段がそのときの紙送り速度に応じた補正値データを用いて所定位置から用紙の先端又は後端までの距離を補正する手順と、前記補正手段が前記補正後の距離から紙送り量を算出し、その紙送り量を基に用紙の位置及びサイズのうち少なくとも一方を求める手順とを備えたことを要旨とする。


【手続補正２１】
【補正対象書類名】明細書
【補正対象項目名】００２７
【補正方法】変更
【補正の内容】
【００２７】
この発明によれば、用紙検出手段は用紙を検知して状態変動しても、その検出信号を出力するまでに所定のタイムラグが生じる場合がある。しかし、用紙検出手段により用紙が検出されたとき、取込手段は紙送り速度検出手段により求まる紙送り速度からその紙送り速度に応じた補正値データを記憶手段から取り込み、その補正値データを基に補正手段が所定位置から用紙の先端又は後端までの距離を補正する。従って、同一機種で紙送り速度が変化する場合でも、用紙の位置検出精度がよくなる。そして、補正後の距離から求まる紙送り量を基にして、補正手段により用紙の位置及びサイズのうち少なくとも一方が求まるので、用紙の頭出し精度、後端位置、サイズ検出などの検出精度もよくなる。


【手続補正２２】
【補正対象書類名】明細書
【補正対象項目名】００３６
【補正方法】変更
【補正の内容】
【００３６】
プリンタ１にはプリンタエンジン（印刷制御用回路基板）３０が備えられ、その基板上には通信ポート３１、ＲＡＭ３２、ＲＯＭ３３、ＥＥＰＲＯＭ３４、ＣＰＵ３５およびＡＳＩＣ３６が備えられている。ＡＳＩＣ３６には、ヘッド駆動回路３７、モータ駆動回路３８，３９が接続されている。ＡＳＩＣ３６は、各駆動回路３７〜３９を介して記録手段としての印刷ヘッド４０、キャリッジモータ４１、駆動手段としての紙送りモータ（ステッピングモータ）４２をそれぞれ制御する。なお、ＣＰＵ３５が紙送り速度検出手段、取込手段、補正手段及び制御手段に相当する。


【手続補正２３】
【補正対象書類名】明細書
【補正対象項目名】００４４
【補正方法】変更
【補正の内容】
【００４４】
オフセット値αは、紙検出センサ１２の反応タイミングにタイムラグがあっても、また用紙７の紙送り速度が異なっても頭出し精度と後端検出精度が確保できるように算出された値である。オフセット値α（α１，α２，α３）は、選択速度が速くなるに連れて値が大きくなるように設定されている（α１＜α２＜α３）。また、用紙７の進行方向は前方（排紙方向）であることから、用紙７の位置精度を確保するには紙送りモータ４２の回転数を減算する必要があるため、オフセット値αは負の値となっている。


【手続補正２４】
【補正対象書類名】明細書
【補正対象項目名】００６５
【補正方法】変更
【補正の内容】
【００６５】
前記実施形態及び別例から把握できる技術的思想について、以下にその効果とともに記載する。
（１）請求項１〜９において、前記補正手段は、前記補正後の所定位置から用紙の先端又は後端までの距離から紙送り量を算出し、その紙送り量を基に用紙の先端位置を求める。この場合、用紙の先端位置の検出精度を確保できる。


【手続補正２５】
【補正対象書類名】明細書
【補正対象項目名】００６６
【補正方法】変更
【補正の内容】
【００６６】
（２）請求項１〜９において、前記補正手段は、前記補正後の所定位置から用紙の先端又は後端までの距離から紙送り量を算出し、その紙送り量を基に用紙の後端位置を求める。この場合、用紙の後端位置の検出精度を確保できる。


【手続補正２６】
【補正対象書類名】明細書
【補正対象項目名】００６７
【補正方法】変更
【補正の内容】
【００６７】
（３）請求項１〜９において、前記補正手段は、前記補正後の所定位置から用紙の先端又は後端までの距離から紙送り量を算出し、その紙送り量を基に用紙のサイズを求める。この場合、用紙サイズの検出精度を確保できる。


【手続補正２７】
【補正対象書類名】明細書
【補正対象項目名】００７１
【補正方法】変更
【補正の内容】
【００７１】
（７）請求項１０，１１において、前記補正手段は、前記用紙検出手段が状態変動してから前記用紙を検出するまでの間に生じるタイムラグを解消するように前記所定位置から用紙の先端又は後端までの距離を補正する。この場合、請求項６と同様の効果が得られる。